(57)【要約】【課題】ハンガーバー、棚板、ハンガーポール等の収納部材を適宜組み合わせて任意の高さに設置することが可能であり、その着脱や交換が容易になされる収納装置を提供する。【解決手段】複数の支柱と、支柱に沿って移動可能で支柱の任意の位置に固定可能な移動部材と、移動部材に取付けられて収納部材を支持する複数の支持部材とを備え、各支持部材は移動部材に取付可能な共通の取付部を有すると共に収納部材に対応して収納部材を支持する支持部がそれぞれに設けられ、該支持部材に収納部材を支持するように構成する。【選択図】        図１
2008161402.tif 000002
【特許請求の範囲】
【請求項１】
立設される複数の支柱と、該支柱に沿って移動可能であって支柱の任意の位置に固定可能な複数の移動部材と、該移動部材に取付けられて収納部材を支持する複数の支持部材とを備え、前記各支持部材は移動部材に取付可能な共通の取付部を有すると共に収納部材に対応して収納部材を支持する支持部がそれぞれに設けられ、各支柱、移動部材及び支持部材をそれぞれ必要な個数を使用し、それでもって任意の間隔で立設した支柱のそれぞれに移動部材を任意の高さに固定し、これに支持すべき収納部材に対応した支持部材を取付けると共に、該支持部材に収納部材を支持するようにしたこと特徴とする収納装置。
【請求項２】
前記移動部材には、その両側面の長手方向に凹溝が設けられ、かつ前記支柱には上下方向に溝部が設けられ、前記溝部の両側壁面から互いに突出したガイド片が移動部材の凹溝にそれぞれ挿入されると共に、移動部材の表面から固定螺子が螺入され、その先端が該溝部の底部を押圧し、かつ該凹溝の側壁面がガイド片の裏面を押圧し、もって支柱に移動部材が固定されるようになされたこと特徴とする請求項１に記載の収納装置。
【請求項３】
前記移動部材の凹溝には、その底部から開口部に向けてばね部材が進退可能に取付けられ、前記ガイド片の端部には複数個の凹部が設けられ、これら凹部は少なくと一部は一定間隔に設けられると共に、前記ばね部材が係合可能となされていることを特徴とする請求項２に記載の収納装置。
【請求項４】
支柱の溝部がそれぞれ相対向するように立設され、該溝部に前記移動部材がそれぞれ取付けられると共に、前記収納部材の両端が前記支持部材に支持されて、かつ支持部材はそれぞれ移動部材に取付けられていることを特徴とする請求項３に記載の収納装置。
【発明の詳細な説明】
【技術分野】
【０００１】
本発明は、棚板、ハンガーポール、収納用かご等の収納部材を適宜組み合わせてなる収納装置に関するものである。
【背景技術】
【０００２】
一般に、屋内の押入れやクローゼット等の収納スペースにおいては、衣服を吊下げるために側壁面間に架設されたパイプ部材が用いられている。このパイプ部材は、所定の高さに固定されたものであり、使用者の身長に合わせてパイプ部材の高さを調整することはできない点が問題であった。
【０００３】
そこで、相対向する一対の縦長レールの受入れ溝にナットを嵌合し、且つ一対の縦長レールの対応壁面にはハンガーバーの両端に嵌合した支持筒をそれぞれ当接し、支持筒の後端から突設した取付け片には透孔を設け、この透孔に止めネジを貫通させ、その先端を前記ナットに螺合したことを特徴とする衣服収納家具のハンガー装置が提案されている（例えば、特許文献１参照。）。
【０００４】
このハンガー装置は、洋服ダンスや押入れ内に取付ける場合は、その左右両側板内壁の前後方向の中間位置に縦長レール設け、止めネジを緩めてハンガーバーを上下に移動すれば、ハンガーバーを使用者の好む高さに固定することができるものである。
【特許文献１】実公平８−８６６２号公報
【発明の開示】
【発明が解決しようとする課題】
【０００５】
しかしながら、前記のハンガー装置には次のような問題点があった。すなわち、ハンガー装置を取付ける際は、受入れ溝に嵌合されたナット、及びハンガーバーの両端に嵌合した支持筒を支えながら、支持筒の透孔に止めネジを貫通させナットに螺合させる必要があり、組立作業が容易ではなく、その逆にハンガーバーを取り外す作業も同様に容易ではなく、その点が問題であった。又、収納部材がハンガーバーに限定されており、棚板や収納用かご等の他の収納部材が取付けられるものではなかった。
【０００６】
本発明は、前記の如き問題点を解消し、ハンガーバー、棚板、ハンガーポール等の収納部材を適宜組み合わせて任意の高さに設置することが可能であり、その着脱や交換が容易になされる収納装置を提供せんとするものである。
【課題を解決するための手段】
【０００７】
上記目的を達成するために、本発明は次のような構成としている。
すなわちこの発明に係る収納装置は、立設される複数の支柱と、該支柱に沿って移動可能であって支柱の任意の位置に固定可能な複数の移動部材と、該移動部材に取付けられて収納部材を支持する複数の支持部材とを備え、前記各支持部材は移動部材に取付可能な共通の取付部を有すると共に収納部材に対応して収納部材を支持する支持部がそれぞれに設けられ、各支柱、移動部材及び支持部材をそれぞれ必要な個数を使用し、それでもって任意の間隔で立設した支柱のそれぞれに移動部材を任意の高さに固定し、これに支持すべき収納部材に対応した支持部材を取付けると共に、該支持部材に収納部材を支持するようにしたこと特徴とするものである。
【発明の効果】
【０００８】
本発明によれば、立設される複数の支柱と、該支柱に沿って移動可能であって支柱の任意の位置に固定可能な複数の移動部材と、該移動部材に取付けられて収納部材を支持する複数の支持部材とを備えているので、使用者は、任意の高さに必要な収納部材を支持すると共に、上下方向への高さ調整も容易である。そして、各支持部材は移動部材に取付可能な共通の取付部を有すると共に収納部材に対応して収納部材を支持する支持部がそれぞれに設けられているので、使用者は、収納部材を取り外す際は、移動部材から支持部材を取り外せばよいので、移動部材をその度に取り外す必要はなく取り外し作業が容易となる。又、収納部材を取り替える際は、同様に移動部材から支持部材を取り外し、支持すべき収納部材に対応した支持部材を取付けると共に、該支持部材に収納部材を支持すればよいので、支持部材の取り替え作業も容易になされる。
【０００９】
本発明において、移動部材には、その両側面の長手方向に凹溝が設けられ、かつ前記支柱には上下方向に溝部が設けられ、前記溝部の両側壁面から互いに突出したガイド片が移動部材の凹溝にそれぞれ挿入されると共に、移動部材の表面から固定ボルトが螺入され、その先端が該溝部の底部を押圧し、かつ該凹溝の側壁面がガイド片の裏面を押圧し、もって支柱に移動部材が固定されるようになされれば、固定螺子を締めたり緩めたりすることにより、移動部材を固定したり、支柱に沿って移動させたりすることができ、移動部材の取付高さの調整も容易になされる。
【００１０】
又、本発明に係る収納装置において、前記移動部材の凹溝には、その底部から開口部に向けてばね部材が進退可能に取付けられ、前記ガイド片の端部には複数個の凹部が設けられ、これら凹部は少なくと一部は一定間隔に設けられると共に、前記ばね部材が係合可能となされれば、ばね部材が凹部に係合されると、作業者は移動部材を手を放しても、移動部材は支柱の溝部に対して容易には滑り落ちなくなるため、位置合わせが容易であり、取付作業や取付高さの調整もより容易となる。
【００１１】
更に、本発明に係る収納装置において、支柱の溝部がそれぞれ相対向するように立設され、該溝部に前記移動部材がそれぞれ取付けられると共に、前記収納部材の両端が前記支持部材に支持されて、かつ支持部材はそれぞれ移動部材に取付けられるようになされれば、両支柱に取付けられた移動部材の高さ合わせが容易となるため、収納部材を水平に支持することが容易となる。
【発明を実施するための最良の形態】
【００１２】
次に、本発明を実施するための最良の形態について図面を参照し、具体的に説明する。
【００１３】
すなわち、図１は本発明に係る第一の実施形態を示す斜視図であり、本形態に係る収納装置Ｐは、適宜間隔を間隔を置いて立設される複数の支柱１と、支柱１に沿って支柱１の任意の位置に固定可能な複数の移動部材２と、収納部材３と、移動部材２に取付けられると共に収納部材３の形態に応じて支持可能となされた支持部材とから主に構成されている。そして、各支柱、移動部材、及び支持部材をそれぞれ必要な個数使用し、支柱のそれぞれに移動部材を任意の高さに固定し、これに支持すべき収納部材に対応した支持部材を取付けると共に、この支持部材に収納部材を支持するようにしたものである。
【００１４】
まず、支柱１は、図１に示すように、床面（図示せず）と天井面（図示せず）との間に立設されたものであり、上下方向に溝部１１が形成され、この溝部１２に移動部材２が取付けられる。本形態では、３個の支柱１が適宜間隔を置いて立設され、両側面にそれぞれ溝部１１が形成されると共に、隣接する支柱１に対して、溝部１１どうしが相対向するようになされている。
【００１５】
次に、支柱１の固定方法について詳しく説明する。支柱１の上端部には固定金具１２が取付けられている。固定具１２は、図２に示すように、支柱１の上端部に取付けられる取付具１３と、取付具１３に固定される基部１４ａと、基部１４ａに対して上下方向に進退可能に螺合される螺子部１４ｂと天井面を押圧する押圧部１４ｃを有する押圧具１４とからなる。そして、押圧具１４の螺子部１４ｂの基端に取付けられたナットを回して、押圧部１４ｃを上方向に移動させ、その天面を天井面に押し当てることにより、支柱１を天井面と床面との間に固定する。本形態では、支柱１の上端部に設けられた凹み部に取付具１３が嵌合されたものであり、これにより固定具１２の着脱が容易になされるが、より強固に固定するために支柱１にビスホールを設け、ビスを介して固着させる形態でもよい。又、本形態のように支柱１の下端部にこの固定具１２を取付けてもよい。取付具１３及び押圧具１４は、支柱１の溝部１１の上端部を塞がないように取付けられている。これにより、固定具１２の取付けによらず、支柱１に移動部材２を取付けることができる。
【００１６】
続いて、移動部材２は、図３に示すように、その横幅が、支柱１の溝部１１の横幅と略同寸法となされた平板状に形成されたものであり、その両側面には長手方向に沿って凹溝２１が形成され、その表面には支持部材３が取付けられる取付部２２が突設されている。そして支柱１に移動部材２を取付ける際は、支柱１の端部から、支柱１の溝部１１の両壁面から上下方向に相対向して形成されたガイド片１５を移動部材２の凹溝２１に挿入することにより、図４に示すように、移動部材２は支柱２に沿って擦動可能に取付けられる。
【００１７】
次に、支柱１に対する移動部材２の固定方法について詳しく説明する。
【００１８】
図４に示すように、移動部材２の下部には、固定螺子５が螺入される螺子孔２３が設けられている。移動部材２を支柱１の任意の高さで支えながら、移動部材２の螺子孔２３に表面側から支柱１の溝部１１の底部に向けて固定螺子５を螺入する。そして、図５〜６に示すように、固定螺子５の先端で溝部１１の底部を押圧すると共に、移動部材２の凹溝２１の側壁面２４で溝部１１のガイド片１５の裏面を押圧することにより、移動部材２は支柱１に固定される。尚、溝部１１の底部において、上下方向に凹部を形成し、この凹部に固定螺子５の先端が挿入されるようにしてもよい。これにより、固定螺子５を螺入した際に固定螺子５は水平方向へ位置ずれが起こりにくくなる。
【００１９】
次に、支柱１に対する移動部材２の固定位置を調整する方法について詳しく説明する。
【００２０】
図７〜８に示すように、移動部材２の裏面には長方形状の孔部２４が設けられ、この孔部２４に略く字状のばね部材６が挿入されている。ばね部材６は、その両端部が外方に向けて円弧状に形成され、中央部の屈曲部は平坦に形成され、更にこの屈曲部から外方に向けて倒Ｕ字上の突起６１が形成されている。そして、孔部２４の一方の側壁面２４１にばね部材６の両端部が当接され、相対向する側壁面に前記平坦部が当接され、更に側壁面２４２には凹溝２１の底部まで貫通された横孔２５が設けられ、この横孔２４３にばね部材６の突起６１が挿入され、突起６１の先端部が凹溝２１の底部から開口部に向けて突出されている。
【００２１】
又、支柱１の溝部１１において、ガイド片１５の側端部には凹部１６が一定間隔で形成されている。これにより、移動部材２を支柱１に取付けた際は、図８に示すように、ばね部材６の突起６１は、溝部１１のガイド片１５の側端部に押圧されているが、移動部材２が移動して、ばね部材６の突起６１がガイド片１５の凹部１６に係合されると、作業者は移動部材２から手を放しても、移動部材２は支柱１の対して容易には滑り落ちなくなる。これにより、移動部材２の高さ調節が容易になされると共に、移動部材２より強固に固定することができる。２個の支柱１に取付けられた移動部材２の高さを合わせる際、両支柱１の凹部１６の形成間隔を合わせておけば、その作業が容易になされる。尚、ばね部材６は本形態に限られるものではなく、コイルばね等を用いてもよい。
【００２２】
続いて支持部材３は、その裏面に移動部材２に取付可能な取付部３１を備え、その表面に収納部材４を支持する支持部３２を備えたものである。
【００２３】
次に、移動部材２に対する支持部材３の取付方法について説明する。まず、移動部材２の表面に突設された取付部２２は、上下方向に向けて帯状になされた帯状部２６と、帯状部２６を左右挟んで両側に相対向して突設されると共に、その先端部から互いに内方に向けてほぼ直角に屈曲されてなる断面略Ｌ字状の２個の鉤状部２７とからなる。
【００２４】
支持部材３の取付部３１は、図９〜１１に示すように、その裏面側において帯状部２６及び鉤状部２７の形状に対応した箇所が上下方向に亘って切除されると共に、その上端部に切除箇所を覆う蓋部３３が設けられている。そして移動部材２の取付部２２の上方から支持部材３の取付部３１を挿入して嵌合させることにより、移動部材２に支持部材２が着脱可能に取付けられる。この際、蓋部３３により支持部材３の下方への落下が抑えられ、取付部３１は帯状部２６により幅方向の位置ずれが抑えられ、鉤状部２７により、幅方向及び厚さ方向の位置ずれが抑えられる。尚、取付部３１の下部に段部２８を形成し、支持部材３の取付部３１の下部を支えるようになされてもよい。
【００２５】
図９〜１２に示された支持部材３ａは、棚板の収納部材４ａを支持するためのものであり、取付部３１の表面から縦断面コ字状の支持部３２ａが突設され、コ字状内に収納部材４ａが挿入されて、もって収納部材４ａを支持するものである。収納部材４ａをより強固に固定するために、コ字状の下部に形成されたビス孔からビスを螺入させてビス止めしてもよい。又、図９及に示すように、取付部３１の下部から支持部３２ａの下面に向けてリブ３４を設け、支持部３２ａのコ字状部を支えるようになされてもよい。
【００２６】
図１３に示された支持部材３ｂは、ハンガーポールの収納部材４ｂを支持するためのものであり、取付部３１の表面から円筒状の支持部３２ｂが突設され、開口部から収納部材４ｂが挿入され、もって収納部材４ｂを支持するものである。尚、取付部３１は、図９〜１２に示された支持部材３ａと共通である。
【００２７】
図１４に示された支持部材３ｃは、フック等が係止可能なネット部材からなる収納部材４ｃを支持するためのものであり、取付部３１の表面から断面逆Ｌ字状の支持部３２ｃが突設され、取付部３１の表面と支持部３２ｃとの間に収納部材４ｃが挿入されるものである。尚、収納部材４ｃを固定する際は、図１に示すように、支持部材３ｃの上方において、支柱１に天地を反転させた移動部材２を取付け、更に収納部材４ｃを取付けて２この支持部材４ｃにより収納部材４ｃを上下から挟持すればよい。尚、取付部３１は、図９〜１２に示された支持部材３ａと共通である。
【００２８】
このように、収納部材４の形態に対応した支持部３２を有する支持部材３を用いることにより、必要な収納部材４を任意の高さに支持することが可能となり、収納部材４の取り替えや取り外し作業も容易になされる。又、収納部材４はこれらの形態に限定されるものではなく、図１に示すように、収納かごからなる収納部材４ｄ、櫛形状ハンガーからなる収納部材４ｅ等においても、これに対応した支持部３２を有する支持部材３を用いて支持するようになされてもよく、又、収納箱からなる収納部材４ｆを支柱１の間に配置させてもよい。
【００２９】
図１５は、収納装置Ｐの第二の実施形態を示すものである。本実施形態に係る収納装置Ｐは、図１に示された収納装置Ｐと比べて、主に支柱１の形態が異なるものであり、その他の点については、図１に示された収納装置Ｐと同様な形態である。
【００３０】
すなわち、図１５に示された収納装置Ｐは、支柱１を２個１組として、その上下部を横桟１７で連結すると共に、この連結された支柱１を適宜間隔を置いて複数個立設させると共に、一の連結された支柱１と他の連結された支柱１とは、それぞれの溝部１１が相対向するようになされている。これにより、収納部材４の側面を２個の支持部材で支持することができるので、より奥行きのある収納部材４を支持することが可能となる。尚、本形態では、２個の支柱を連結したものであるが、必要に応じて３個以上の支柱１を連結したものを用いていもよい。
【００３１】
又、収納部材４は、前記形態に限定されるものではなく、図１及び図１５に示すように、収納かごからなる収納部材４ｄ、櫛形状ハンガーからなる収納部材４ｅ等においても、これに対応した支持部３２を有する支持部材３を用いて支持するようになされてもよく、又、収納箱からなる収納部材４ｆを支柱１の間に配置させてもよい。
【００３２】
図１６は、移動部材２の変形を示すものであり、本実施形態に係る移動部材２は、図４に示された移動部材２と比べて、主に凹溝２１の形態が異なるものであり、その他の点については、図４に示された移動部材２と同様な形態である。
【００３３】
すなわち、図１６に示された移動部材２において凹溝２１は、背面側の側壁部が切除され、前面側の側壁部と底部とからなる形態である。又、移動部材２の背面側には挟持板７が配置され、この挟持板７の前面には背面側に向けて貫通された螺子孔７１が形成されると共に、移動部材２の螺子孔２３に貫通螺合された固定螺子５が前記螺子孔７１にも貫通螺合され、移動部材２と挟持板７とが固定螺子５を介して一体となされている。そして、挟持板７は縦断面略矩形となされると共に、その短辺の長さは、支柱１の溝部１１における両ガイド片１５の間隙より短くなされている。この構造により、本実施形態に係る移動部材２は支柱１の端部のみならず、支柱１の溝部１１の開口部側における適宜位置から挿入可能となる。
【００３４】
挟持板７は、図１６〜１７に示すように、その長辺が柱１の溝部１１の開口幅と略同寸法となされると共に、矩形状の一対の対角が円弧状に切り欠かれている。そして、図１７に示すように、挟持板７を両ガイド片１５の間隙から溝部１１に挿入し、螺子孔７１を中心にして前記切り欠き箇所の方向に向けて挟持板７を回転させた際、図１１（ｃ）に示すように、挟持板７の短辺側の両側面が溝部１１の側壁面にそれぞれ当接して、その方向にはそれ以上回転しないようになされている。
【００３５】
この構造により、固定螺子５を介して移動部材２と一体となされた挟持板７を、溝部１１の両ガイド片１５の間隙から溝部１１に挿入し、固定螺子５を締めれば、挟持板７は溝部１１内で回転し、挟持板７の短辺側の両側面が溝部１１の側壁面にそれぞれ当接し、それ以後は固定螺子５に沿って前方へ移動するため、移動部材２と挟持板７とによって両ガイド片１５を挟むことが可能となり、移動部材２は支柱１に対して固定することができる。つまり、収納装置Ｐを組立てた後でも本実施形態に係る移動部材２は支柱１の溝部１１の適宜位置に固定することができるため、支持部材３を介して収納部材４を適宜位置に取付けることができ、又取り外すこともできる。
【００３６】
支柱１は、一般にはアルミニウムや合成樹脂を押出成型して得られる長尺の型材を適宜長さに切断した部材からなるものであるが、アルミニウム以外の金属、または金属や無機材料と合成樹脂との複合材料、例えば合成樹脂に金属フィルムをラミネートしたもの、表面に着色がなされたもの、装飾性を向上させるために表面に凹凸が形成されたもの等、必要な強度に応じて、適宜使用できる。
【００３７】
移動部材２、及び支持部材３は、一般には、ＡＢＳ樹脂やアルミニウム合金から形成されたものであるが、ＡＡＳ樹脂、アクリル樹脂、ポリカカーボネート、ポリスチレン、ナイロン樹脂等の他の合成樹脂や、鉄、真鍮、ステンレス鋼等の他の金属を用いてもよく、これらを組み合わせて用いてもよく、必要な強度や剛性等に応じて適宜使用できる。
【産業上の利用可能性】
【００３８】
本発明は、ハンガーバー、棚板、ハンガーポール等の収納部材を適宜組み合わせて任意の高さに設置することが可能であり、その着脱や交換が容易になされるので、室内のクローゼットや押入れ内ばかりでなく、住宅の部屋や、店舗の陳列棚として設置する場合や、展示場等の仮設される場合や比較的短期間設置される場合にも、好適に利用することができる。
【図面の簡単な説明】
【００３９】
【図１】本発明に係る第一の実施形態を示す斜視図である。
【図２】図１の支柱の説明図である。
【図３】図１の主要部の取付構造を示す部分分解斜視図である。
【図４】図１の移動部材の詳細を示す説明図である。
【図５】図１の移動部材の実施形態を示す拡大斜視図である。
【図６】図５のＡ−Ａ横断面図である。
【図７】図１の移動部材の詳細を示す説明図である。
【図８】図１の移動部材の実施形態の詳細を示す説明図である。
【図９】図１の支持部材の詳細を示す部分分解斜視図である。
【図１０】図１の収納部材の詳細を示す部分分解斜視図である。
【図１１】図９のＢ−Ｂ縦断面図である。
【図１２】図１０のＣ−Ｃ横断面図である。
【図１３】図１の他の支持部材の詳細を示す分解斜視図である。
【図１４】図１の他の支持部材の詳細を示す分解斜視図である。
【図１５】本発明に係る第二の実施形態を示す斜視図である。
【図１６】本発明に係る移動部材の変形を示す斜視図である。
【図１７】図１６の挟持片の実施形態の詳細を示す説明図である。
【符号の説明】
【００４０】
１    支柱
１１  溝部
１２  固定具
１５  ガイド片
１６  凹部
１７  横桟
２    移動部材
２１  凹溝
２２  取付部
２３  螺子孔
２４  孔部
２５  横孔
２６  帯状部
２７  鉤状部
３、３ａ、３ｂ、３ｃ  支持部材
３１  取付部
３２、３２ａ、３２ｂ、３２ｃ  支持部
３３  蓋部
３４  リブ
４、４ａ、４ｂ、４ｃ、４ｄ、４ｅ、４ｆ  収納部材
５    固定螺子
６    ばね部材
６１  突起
７    挟持片
【図１】
2008161402.tif 000003
【図２】
2008161402.tif 000004
【図３】
2008161402.tif 000005
【図４】
2008161402.tif 000006
【図５】
2008161402.tif 000007
【図６】
2008161402.tif 000008
【図７】
2008161402.tif 000009
【図８】
2008161402.tif 000010
【図９】
2008161402.tif 000011
【図１０】
2008161402.tif 000012
【図１１】
2008161402.tif 000013
【図１２】
2008161402.tif 000014
【図１３】
2008161402.tif 000015
【図１４】
2008161402.tif 000016
【図１５】
2008161402.tif 000017
【図１６】
2008161402.tif 000018
【図１７】
2008161402.tif 000019